(57)【要約】  【課題】自動販売機の分割された断熱内扉において、上下の断熱内扉と庫内の断熱壁との隙をなくし、断熱効果が高く、結露水の発生を抑制した自動販売機を提供するものである。  【解決手段】本発明の自動販売機の内扉構造は、下部断熱内扉６に設けられたヒレ状パッキン８ｅをあらかじめ前方に湾曲させて成型したものであり、ヒレ状パッキン８ｅが上部断熱内扉５および庫内断熱壁と当接することにより、垂直面となり、隙をなくすことができる。【選択図】図１
2007018132.tif 000002
【特許請求の範囲】
【請求項１】
上下２分割構造の断熱内扉を装備した自動販売機において、上部断熱内扉の下端面にガスケットを装着し、下部断熱内扉の上端面にガスケットを装着し、前記下部断熱内扉のガスケットが硬質材の台部と軟質材との一体成型品で、かつ前記台部の後端部に設けたヒレ状パッキンが、前方向に湾曲させて成型し、前記上部断熱内扉と前記下部断熱内扉を閉じた時、前記上部断熱内扉の背面部に当接することを特徴とする自動販売機の内扉構造。
【請求項２】
上部断熱内扉の下端面に設けた、硬質材の台枠部と軟質材との一体成型品であるガスケットにおいて、台枠部の後方部に設けたヒレ状パッキンが、後方向に湾曲させて成型したことを特徴とする請求項１に記載の自動販売機の内扉構造。
【請求項３】
上下２分割構造の断熱内扉を装備した自動販売機であり、下部断熱内扉の上端面にガスケットを装着し、上部断熱内扉の下端に前記ガスケットと当接するガスケット当接面を設けたものにおいて、前記ガスケットが、軟質材で成型され独立した複数の略楕円形状とからなることを特徴とする自動販売機の内扉構造。
【発明の詳細な説明】
【技術分野】
【０００１】
本発明は、自動販売機の断熱内扉の構造に関するものである。
【背景技術】
【０００２】
従来、自動販売機の断熱内扉は、上下２分割構造となっており、商品補充の際に上部の断熱内扉のみを開閉し、冷気、暖気の漏えいを少なくしている。分割している為、上下の断熱内扉の接合部からの冷気、暖気の漏えい、また、結露水が発生しやすくなっており、さまざまな提案がされている（例えば、特許文献１参照）。
【０００３】
図５は従来の自動販売機の構造を示す図、図６は上下断熱内扉の接合部の断面図である。
【０００４】
以下、図５及び図６を参照しながら、従来の自動販売機について説明する。
【０００５】
断熱筺体である本体１の前面には、主扉２が設けられている。本体１の内部には、複数の商品収容棚３が設けられ、さらに断熱壁４により分割されている。分割された各部屋は、図示しない冷却加温装置により、冷却または、加温されている。本体１と主扉２の間には、上部断熱内扉５、下部断熱内扉６が設けられている。
【０００６】
本体１の各部屋内の冷気、あるいは暖気が外方に逃げないようにする為に、上部断熱内扉５、下部断熱内扉６の周縁と本体１との間、または、断熱壁４との間には、ガスケット４ａにより気密に閉塞されており、また、上部断熱内扉５と下部断熱内扉６との隙間を封止するために、上部断熱内扉５の下端、及び、下部断熱内扉６の上端にガスケット７、８が設けられている。上下各断熱内扉のガスケット７、８は、硬質の台枠部７ａ、８ａと軟質部のパッキン部７ｂ、８ｂからなり、各断熱内扉５、６の上下方向のがたつきや、組立て誤差を吸収するために、パッキン部７ｂ、８ｂが台枠部７ａ、８ａに形成された傾斜面から突き出した構造になっている。また、パッキン部７ｂ、８ｂの接合部の結露水をためるためのダム部８ｃが設けられている。さらに、本体１の左右の側部や断熱壁４と、上下各断熱内扉５，６の接合部との隙をなくす為に、ヒレ部８ｄが設けられている。
【特許文献１】特開２００１−３４４６４５号公報
【発明の開示】
【発明が解決しようとする課題】
【０００７】
しかしながら、前記従来の構成では、下部断熱内扉６のヒレ部８ｄは、設計上垂直な形状になっているが、押し出し成型で加工を行っている関係上どうしても反りが発生しやすくなっている。特に後ろ向きに反りが発生すると、本体１の左右の側部や断熱壁４との間に隙９が発生し、冷気や暖気の漏えいが発生してしまう。冷気や暖気の漏えいが発生すると、冷却や加温効率が悪くなり、しいては、消費電力の増大につながる。
【０００８】
また、従来の自動販売機では、上下各断熱内扉５，６の接合部における結露水を受ける構造になっているが、外部の温度や湿度の条件によっては結露水が多く発生し、自然蒸発しきれずに、あふれてしまう恐れがあり、下部断熱内扉６の表面に垂れ流れてその扉面を濡らし、埃などが付着し汚れてしまう。
【０００９】
本発明は、上記従来の課題を解決するもので、上下各断熱内扉５，６と本体１の左右の側部や断熱壁４との間に発生する隙をなくし、冷気や暖気の漏えいをなくすものである。
【００１０】
また、本発明は、上下各断熱内扉５，６の結露水の垂れをなくす為に、断熱効果を高め、結露水の発生を抑制するものである。
【課題を解決するための手段】
【００１１】
前記従来の課題を解決するために、上下２分割構造の断熱内扉を装備した自動販売機において、下部断熱内扉の上端面に設けたガスケットの台部の後端部に設けたヒレ状パッキンが、前方向に湾曲させて成型したものである。
【００１２】
また、上部断熱内扉の下端面に設けたガスケットにおいて、台枠部の後方部に設けたヒレ状パッキンが、後方向に湾曲させて成型したものである。
【００１３】
また、さらに、下部断熱内扉の上端面にガスケットを装着し、上部断熱内扉の下端に前記ガスケットと当接するガスケット当接面を設けたものであり、前記ガスケットが、軟質材で成型され独立した複数の略楕円形状とからなるものである。
【発明の効果】
【００１４】
本発明の自動販売機は、上下各断熱内扉と、本体の左右の側部や断熱壁との間に発生する隙をなくし、冷気や暖気の漏えいを無くすことができる。
【００１５】
また、上下各断熱内扉５，６の結露水の垂れをなくす為に、断熱効果を高めることにより、結露水の発生を抑制するものである。
【発明を実施するための最良の形態】
【００１６】
第１の発明は、上下２分割構造の断熱内扉を装備した自動販売機において、下部断熱内扉の上端面に設けたガスケットの台部の後端部に設けたヒレ状パッキンを、前方向に湾曲させて成型したものであり、あらかじめ湾曲させて成型したことにより、断熱壁により付勢されて垂直になるため、上下２分割断熱内扉の接合部の隙を無くすことができる。
【００１７】
第２の発明は、第１の発明の自動販売機の内扉構造において、上部断熱内扉の下端面に設けたガスケットの、台枠部の後方部に設けたヒレ状パッキンが、後方向に湾曲させて成型したものであるので、下部断熱内扉の上端面に設けたガスケットの台部の後端部に設けたヒレ状パッキンを、後方向に付勢し、上下２分割断熱内扉の接合部の隙を無くすことができる。
【００１８】
第３の発明は、下部断熱内扉の上端面にガスケットを装着し、上部断熱内扉の下端に前記ガスケットと当接するガスケット当接面を設けたものにおいて、前記ガスケットが、軟質材で成型され独立した複数の略楕円形状とからなるものであるので、複数の略楕円形状内の空気層が断熱効果を果たし、断熱効果を高めることができ、結露水の発生を抑制するものである。
【００１９】
以下、本発明による自動販売機の実施の形態について、図面を参照しながら説明する。なお、従来と同一構成については同一符号を付してその詳細な説明を省略する。なお、本実施の形態によって本発明が限定されるものではない。
【００２０】
（実施の形態１）
図１は、本発明の実施の形態１における自動販売機の内扉構造の扉を開けた状態の断面図、図２は、同実施の形態の自動販売機の内扉構造の扉を閉めた状態の断面図である。
【００２１】
図１及び図２において、下部断熱内扉６の上端に設けられたガスケット８の後端には、前方に湾曲させたヒレ状パッキン８ｅが設けられている。
【００２２】
上下の各断熱内扉５、６を閉めると、上部断熱内扉５の背面部５ａがヒレ状パッキン８ｅを後方に付勢するとともに、断熱壁４のガスケット４ａにより前方に付勢されることにより、ヒレ状パッキン８ｅは垂直平面となり、隙が発生することなくガスケット４ａと当接する。
【００２３】
以上のように本実施の形態の自動販売機は、ヒレ状パッキン８ｅをあらかじめ前方に湾曲させて成型したことにより、上下各断熱内扉５，６及び断熱壁４のガスケット４ａにより付勢されて垂直になるため、上下２分割断熱内扉の接合部の隙を無くすことができる。
【００２４】
（実施の形態２）
図３は、本発明の実施の形態２における自動販売機の内扉構造の扉を開けた状態の断面図である。
【００２５】
図３において、上部断熱内扉５の下端に設けられたガスケット７に、後方に湾曲させたヒレ上パッキン７ｃが設けられている。
【００２６】
上下の各断熱内扉５、６を閉めると、上部断熱内扉５の背面がヒレ状パッキン８ｅを後方に付勢するとともに、断熱壁４のガスケット４ａにより前方に付勢され、さらに、ヒレ上パッキン７ｃが、ヒレ状パッキン８ｅを後方に付勢することにより、ヒレ状パッキン８ｅは垂直平面となり、隙が発生することなくガスケット４ａと当接する。
【００２７】
以上のように本実施の形態の自動販売機は、ヒレ状パッキン８ｅをあらかじめ前方に湾曲させて成型し、さらに、ヒレ状パッキン７ｃをあらかじめ後方に湾曲させて成型したことにより、ヒレ状パッキン８ｅの成型時に生じる波うち等の歪をヒレ状パッキン７ｃが押さえ、より確実に、上下２分割断熱内扉の接合部の隙を無くすことができる。
【００２８】
（実施の形態３）
図４は、本発明の実施の形態３における自動販売機の内扉構造の扉を閉めた状態の断面図である。
【００２９】
図４において、下部断熱内扉６の上端面に、軟質材で成型され独立した４個の略楕円形状とからなるガスケット１０が装着されている。また、上部断熱扉５の下端前方にガスケット１０の当接面１１が金属板にて形成されている。
【００３０】
上下の各断熱内扉５、６を閉めると、上部断熱内扉５の当接面１１と、下部断熱内扉６のガスケット１０が当接する。当接することにより、ガスケット１０のおのおのの略楕円体がそれぞれ変形し、上部断熱内扉５と下部断熱内扉６との隙を埋めて行く。
【００３１】
以上のように本実施の形態の自動販売機は、複数の略楕円形状内の空気層が断熱効果を果たし、断熱効果を高めることができ、結露水の発生を抑制するものである。
【００３２】
さらに、大きな円形状のガスケットを区切ったものは、片側に変形が偏りしまい、当接する際の上部断熱内扉５の閉力が大きくなるのに対して、複数の略楕円形状としたことにより、おのおの略楕円形状が小さな変形となり、当接する際の上部断熱内扉５の閉力が小さくてすむ。
【００３３】
また、さらに、複数のヒレ状パッキンにて空気層を形成すると、ヒレ状パッキンは成型時に反りや波打ちが発生しやすく、空気の漏れを生じやすくなるのに対して、複数の略楕円形状としたことにより、確実に空気層を形成することができ断熱効果を高めることができる。
【産業上の利用可能性】
【００３４】
以上のように、本発明にかかる自動販売機の内扉構造は、分割された断熱扉に関するものであり、断熱扉を有するさまざまな産業機器に適応できる。
【図面の簡単な説明】
【００３５】
【図１】本発明の実施の形態１における自動販売機の内扉構造の扉を開けた状態の断面図
【図２】同実施の形態の自動販売機の内扉構造の扉を閉めた状態の断面図
【図３】本発明の実施の形態２における自動販売機の内扉構造の扉を開けた状態の断面図
【図４】本発明の実施の形態３における自動販売機の内扉構造の扉を閉めた状態の断面図
【図５】従来の自動販売機の構造を示す図
【図６】従来の自動販売機の内扉構造の扉を開けた状態の断面図
【符号の説明】
【００３６】
４ａ  ガスケット
５    上部断熱内扉
５ａ  背面部
６    下部断熱内扉
７    ガスケット
７ｃ  ヒレ状パッキン
８    ガスケット
８ｅ  ヒレ状パッキン
１０  ガスケット
１１  当接面
【図１】
2007018132.tif 000003
【図２】
2007018132.tif 000004
【図３】
2007018132.tif 000005
【図４】
2007018132.tif 000006
【図５】
2007018132.tif 000007
【図６】
2007018132.tif 000008